(57)【要約】【課題】フレーミングアシストを用いずに容易に素早く被写体の位置を把握し、フレーミングすることが可能な撮像装置を得る。【解決手段】本発明に係る撮像装置は、広角画像を撮像する広角レンズと、ズーム画像を撮像するズームレンズと、広角画像とズーム画像を同時に視認できるように表示するとともに、広角画像上にズーム画像の撮像範囲を表示するディスプレイとを備えており、広角側の画面にズームの撮像範囲を表示させることで、操作性の改善を実現している。【選択図】図２
2019015765.tif 000002
【特許請求の範囲】
【請求項１】
広角画像を撮像する広角レンズと、
ズーム画像を撮像するズームレンズと、
前記広角画像と前記ズーム画像を同時に視認できるように表示するとともに、前記広角画像上に前記ズーム画像の撮像範囲を表示するか、または前記ズーム画像上に前記広角画像の撮像範囲を表示するディスプレイと
を備える撮像装置。
【請求項２】
前記ディスプレイは、１つのディスプレイ上に前記広角画像と前記ズーム画像を表示し、
前記１つのディスプレイ上に前記広角画像と前記ズーム画像とが同時に表示されている第１表示状態と、前記１つのディスプレイ上に前記ズーム画像が単独で表示されている第２表示状態とを切り替え可能なスイッチ
をさらに備える請求項１に記載の撮像装置。
【請求項３】
前記ディスプレイは、前記ズーム画像を単独で表示するメインディスプレイと、前記ズーム画像の撮像範囲が表示された前記広角画像を表示するサブディスプレイとで構成される。
請求項１に記載の撮像装置。
【請求項４】
前記ディスプレイ上の表示状態として、前記広角画像上に前記ズーム画像の撮像範囲を表示させる第１表示状態と、前記ズーム画像上に前記広角画像の撮像範囲を表示させる第２表示状態とを切り替え可能なスイッチ
をさらに備える請求項１に記載の撮像装置。
【発明の詳細な説明】
【技術分野】
【０００１】
本発明は、撮像装置に関し、特に、ズーム機能を備える撮像装置に関するものである。
【背景技術】
【０００２】
近年、デジタルカメラのズーム機能の高倍率化により、遠くの被写体を大きく撮影することが可能となっている。このように高倍率ズームが可能なデジタルカメラでは、被写体が動く場合、あるいは撮影者の手振れが大きい場合などでは、高倍率になるほど被写体が画角外に外れやすくなってしまう。
【０００３】
そこで、被写体が画角外に外れた場合に、被写体を再び画角内に入れるための機能が提案されている。例えば、被写体が画角外に外れた際に特定の操作部材を押下することで、所定量だけ広角側にズームを駆動する機能が提案されている。広角側にズームを駆動することで、画角が広くなるため、見失った被写体を探しやすくなる。
【０００４】
被写体を発見したら、画角の中心に被写体がくるようにカメラを移動させ、押下していた操作部材を解放する。すると、ズームが望遠側に駆動され、元の画角に戻る。この機能を、以下ではフレーミングアシストと呼び、さらに、フレーミングアシストを行うための操作部材を、フレーミングアシストボタンと呼ぶ。
【０００５】
ここで、例えば、フレーミングアシストボタンを押して広角側にズームアウトした状態で、被写体が前後に移動した場合を考える。見失った被写体を発見したら、フレーミングアシストボタンを離すことで、ズームが元の望遠側の画角に戻る。しかしながら、このとき、被写体の大きさが変わっている。
【０００６】
このため、ズームレバーを、操作して画角を決め直す必要がある。従って、無駄なズーム移動が必要になるだけでなく、望遠側でズーム操作を行うことにより、再び被写体が画角外に外れてしまうおそれもある。
【０００７】
これに対して、フレーミングアシストボタンを押して広角側にズームアウトした状態で、さらにズームレバーを操作することで、望遠側のズーム戻り位置を変更することが可能な構成を備えた従来技術がある（例えば、特許文献１参照）。
【０００８】
また、広角側にズームアウトした状態で画角候補枠を複数表示させて、そのうちの１つを選択することで、その画角にズームする構成を備えた従来技術がある（例えば、特許文献２参照）。
【０００９】
これらの特許文献１、２に開示されている構成によれば、広角側にズームアウトした状態で被写体が前後に動いたとしても、被写体の大きさに合わせて、望遠側の画角を決め直すことが可能となる。
【先行技術文献】
【特許文献】
【００１０】
【特許文献１】特開２０１２−０６０５９５号公報
【特許文献２】特開２０１０−２７９０２２号公報
【発明の概要】
【発明が解決しようとする課題】
【００１１】
しかしながら、従来技術には、以下のような課題がある。
上述の特許文献１、２に開示された従来技術では、望遠側のズーム戻り位置の倍率が大きくなるにつれて、所望の画角に決め直すことが困難になる。例えば、特許文献１のように広角側にズームアウトした状態で、望遠側のズーム戻り位置をより望遠側に変更する場合を考える。
【００１２】
ズーム戻り位置を一定倍率で望遠側に変更していくと、ズーム戻り位置の倍率が大きくなるにつれて、画角の変化量が小さくなっていく。したがって。この場合には、所望のズーム戻り位置にするために、より多くの操作が必要になってしまう。
【００１３】
また、特許文献２のように、広角側にズームが引いた状態で画角候補枠を複数表示させる場合、画角候補の倍率が大きければ大きいほど、画角候補枠同士の画角の差が小さくなるため、所望の画角を選択しにくくなる。
【００１４】
本発明は、前記のような課題を解決するためになされたものであり、フレーミングアシストを用いずに容易に素早く被写体の位置を把握し、フレーミングすることが可能な撮像装置を得ることを目的とする。
【課題を解決するための手段】
【００１５】
本発明に係る撮像装置は、広角画像を撮像する広角レンズと、ズーム画像を撮像するズームレンズと、広角画像とズーム画像を同時に視認できるように表示するとともに、広角画像上にズーム画像の撮像範囲を表示するディスプレイとを備えるものである。
【発明の効果】
【００１６】
本発明によれば、ズームに用いる撮像機能と広角に用いる撮像機能が搭載されており、ズーム撮影時に両機能の撮像画面をディスプレイに表示し、広角側の画面にズームの撮像範囲を表示させる構成を備えている。この結果、フレーミングアシストを用いずに容易に素早く被写体の位置を把握し、フレーミングすることが可能な撮像装置を得ることができる。
【図面の簡単な説明】
【００１７】
【図１】本発明の実施の形態１におけるズーム撮像機能と広角撮像機能の２つを搭載した撮像装置の外観図である。
【図２】本発明の実施の形態１における撮像装置を背面側から見た外観図である。
【図３】本発明の実施の形態１における撮像装置のディスプレイ上に表示された、被写体探索状態での画角を例示した図である。
【図４】本発明の実施の形態１における撮像装置のディスプレイ上に表示された、撮像時での画角を例示した図である。
【図５】本発明の実施の形態２における撮像装置を背面側から見た外観図である。
【図６】本発明の実施の形態２における撮像装置の２つのディスプレイ上に表示された、被写体探索状態での画角を例示した図である。
【発明を実施するための形態】
【００１８】
以下、本発明の撮像装置の好適な実施の形態につき、図面を用いて説明する。
【００１９】
実施の形態１．
図１は、本発明の実施の形態１におけるズーム撮像機能と広角撮像機能の２つを搭載した撮像装置の外観図である。本実施の形態１に係る撮像装置には、ズームレンズ２と広角レンズ３の２つのレンズが搭載されている。
【００２０】
次に、図２〜図４を参照して、本実施の形態１に係る撮像装置を用いた具体的な動作を説明する。図２は、本発明の実施の形態１における撮像装置を背面側から見た外観図である。
【００２１】
ディスプレイ４には広角レンズ３により撮影される広角画像４ａが表示されており、さらに、ディスプレイ４内には、ズームレンズ２により撮影されるズーム画像４ｂとズーム撮像範囲４ｃが表示されている。また、ディスプレイ４の横に取り付けられた切換釦５は、ズーム画像４ｂ単体をディスプレイ４に表示させるように切り換え操作するための釦である。
【００２２】
図３は、本発明の実施の形態１における撮像装置のディスプレイ４上に表示された、被写体探索状態での画角を例示した図である。また、図４は、本発明の実施の形態１における撮像装置のディスプレイ４上に表示された、撮像時での画角を例示した図である。
【００２３】
図３に示すように、被写体がズーム範囲から外れた場合でも、撮影者は、広角画像４ａ、ズーム画像４ｂ、ズーム撮像範囲４ｃを確認することで、被写体の位置と現在のズーム撮影位置を把握することができる。
【００２４】
そして、撮影者は、図４のように、ズーム画像４ｂを参照しながら、被写体がズーム撮像範囲４ｃに入るように撮像装置を動かす。撮影者は、所望の被写体がズーム画像４ｂに表示された状態で、ディスプレイ４の横に取り付けられた切換釦５を押すことで、ズーム画像４ｂ単体をディスプレイ４に表示させ、ズーム画像４ｂを確認後、シャッターを押し、撮影することができる。
【００２５】
以上のように、実施の形態１によれば、広角画像とズーム画像をディスプレイに表示し、広角側の画面にズームの撮像範囲を表示させる構成を備えている。この結果、フレーミングアシストを用いずに容易に素早く被写体の位置を把握し、フレーミングすることが可能な撮像装置を得ることができる。
【００２６】
なお、上述した実施の形態１では、広角画像上にズーム画像の撮像範囲を表示する場合について例示したが、本発明は、このような表示に限定されるものではない。ズーム画像上に広角画像の撮像範囲を識別可能な表示を行うことも可能である。さらに、広角画像の撮像範囲を識別可能とする表示を、広角画像、ズーム画像のいずれの画像上に行うかを選択切り替え可能なスイッチを設ける構成を採用することもできる。いずれの表示によっても、広角画像、ズーム画像、ズーム撮像範囲を確認することで、被写体の位置と現在のズーム撮影位置を把握する効果を実現することが可能となる。
【００２７】
実施の形態２．
先の実施の形態１では、広角画像４ａとズーム画像４ｂを１つのディスプレイに表示する場合について説明した。これに対して、本実施の形態２では、２つのディスプレイを用いる場合について説明する。
【００２８】
図５は、本発明の実施の形態２における撮像装置を背面側から見た外観図である。図５に示すように、本実施の形態２に係る撮像装置は、補助ディスプレイ６を備えて構成されている。
【００２９】
図６は、本発明の実施の形態２における撮像装置の２つのディスプレイ４、６上に表示された、被写体探索状態での画角を例示した図である。図６のように、ズーム画像４ｂをディスプレイ４に表示させ、広角画像４ａを補助ディスプレイ６に表示させる。
【００３０】
この結果、補助ディスプレイ６の表示内容を確認しながら被写体がズーム撮像範囲４ｃに入るように撮像装置を動かし、ディスプレイ４に表示されるズーム画像を確認後、シャッターを押し、撮影することができる。
【００３１】
以上のように、実施の形態２によれば、広角画像とズーム画像を個別のディスプレイに表示し、広角側の画面にズームの撮像範囲を表示させる構成を備えている。この結果、先の実施の形態１と同様に、フレーミングアシストを用いずに容易に素早く被写体の位置を把握し、フレーミングすることが可能な撮像装置を得ることができる。
【符号の説明】
【００３２】
１  撮像装置本体、２  ズームレンズ、３  広角レンズ、４  ディスプレイ、４ａ  広角画像、４ｂ  ズーム画像、４ｃ  ズーム撮像範囲、５  切換釦（スイッチ）、６  補助ディスプレイ。
【図１】
2019015765.tif 000003
【図２】
2019015765.tif 000004
【図３】
2019015765.tif 000005
【図４】
2019015765.tif 000006
【図５】
2019015765.tif 000007
【図６】
2019015765.tif 000008